(57)【要約】      （修正有）【課題】釣用のラインを荷重を掛けた状態で引いたときに呈する、結び目の自然な形状に釣用ソリッドリングの断面形状を合わせることにより、結束部の形状を自然な状態とすると共に強固な結び付け状態が得られる新規な釣用ソリッドリングを提供する。【解決手段】釣用ソリッドリング１の構成部材であるリング本体１０の断面形状において、本考案は特徴を有する。内周面１１は、断面円弧状を形成しており、それに続く外周面１２の僅かな範囲も円弧状のまま連続している。そして、外周面１２の途中からフラット面１３を有し、先端部１４を幾分か円弧状とした、滑らかな円弧状に構成されている。この結果、全体としてみると釣用ソリッドリング１のリング本体１０の断面形状は、外向きにティアドロップ形状として構成される。【選択図】図１
0003192994.tif 000002
【実用新案登録請求の範囲】
【請求項１】
環状の釣用ソリッドリングであって、リング本体の断面形状を外向きにティアドロップ形状としたことを特徴とする釣用ソリッドリング。
【請求項２】
前記ティアドロップ形状としたリング本体の断面の縦横比Ｒを１：１．３から１：１．７の範囲としていることを特徴とする前記請求項１記載の釣用ソリッドリング。
【請求項３】
リング本体の断面における円弧変位位置は、外周仮想円弧の８０％〜５０％の位置としていることを特徴とする前記請求項１または２記載の釣用ソリッドリング。
【請求項４】
リング本体外周部における断面見かけ尖り角度は、５０°〜６０°であることを特徴とする前記請求項１、２または３記載の釣用ソリッドリング。
【考案の詳細な説明】
【技術分野】
【０００１】
本考案は、釣用ソリッドリングに関するものである。
【背景技術】
【０００２】
釣用ソリッドリングは、ラインと、仕掛け、錘り、ルアー等を接続する中継部材として利用される。このものの多くは、１本の金属線材を円形に構成して、付き合わせ部をロウ付けして完成させたり、金属板をリング状に打ち抜いたりして構成されている。このような手法で構成される断面形状に因み、ラインを結び付けたりする場合には、必ずしも最適な結び付け状態が得られない。即ち、円形断面の釣用ソリッドリング１０１は、図６ａ−（１）、（２）に示すようにライン１０２を結び付けるにあたって、ノッティング１２１により縛り付けるようにするものであるが、実際には、ライン１０２を引いたりして負荷が掛かったときには、図６ａ−（２）に示すようにライン１０２の結び形状は、いわば水滴状になり、釣用スプリットリングの間に余剰空隙Ｓが生じてしまう。
このような形状となると、ライン１０２による締め付けが充分に行われず、ひいては魚がヒットしたときのいわゆる当たり感覚が鈍ってしまったり、ポイントに仕掛けを投げ込むときに不正確な位置に投げ込まれるような状態を呈する。
また例えば、図６ｂ−（１）、（２）に示すように釣用リング１０１の断面形状が角部を有している場合、この角部は滑らかな円弧状に面取りしているとは言え、全体として四角形断面を有する場合、釣り場の岩等にヒットした場合にライン１０２の結び目が切れやすくなる等の問題が指摘されていた。
【考案の概要】
【考案が解決しようとする課題】
【０００３】
本考案は、これらの種々の背景を考慮してなされたものであって、釣用のラインを荷重を掛けた状態で引いたときに呈する、結び目の自然な形状に釣用ソリッドリングの断面形状を合わせることにより、結束部の形状を自然な状態とすると共に強固な結び付け状態が得られる新規な釣用ソリッドリングの開発を試みたものである。
【課題を解決するための手段】
【０００４】
請求項１記載の釣用ソリッドリングは、環状の釣用ソリッドリングであって、リング本体の断面形状を外向きにティアドロップ形状としたことを特徴として成るものである。
【０００５】
請求項２記載の釣用ソリッドリングは、前記請求項１記載の要件に加え、前記ティアドロップ形状としたリング本体の断面の縦横比Ｒを１：１．３から１：１．７の範囲としていることを特徴として成るものである。
【０００６】
請求項３記載の釣用ソリッドリングは、前記請求項１または２記載の要件に加え、リング本体の断面における円弧変位位置については、外周仮想円弧の８０％〜５０％の位置としていることを特徴として成るものである。
【０００７】
請求項４記載の釣用ソリッドリングは、前記請求項１、２または３記載の要件に加え、リング本体外周部における断面見かけ尖り角度については、５０°〜６０°であることを特徴として成るものである。
【考案の効果】
【０００８】
まず請求項１記載の考案によれば、リング本体の断面形状を外向きに尖ったティアドロップ形状としたものであり、この形状は、ラインを結び付けて且つ負荷を掛けたときのラインが自然に採る形状にほぼ馴染んでおり、ラインの結び目と釣用ソリッドリングとの間に余剰空隙が発生してしまうことがなく、常に強固で且つ安定した結束が可能となる。加えてティアドロップ状の断面として外面が尖っているから、スプリットリングに釣用ソリッドリングを接続する場合における嵌め込み易さが得られる。
【０００９】
また請求項２記載の考案によれば、リング本体の断面の縦横比Ｒを１：１．３から１：１．７程度の範囲としており、この範囲が自然な結束を促すのに適した値となっている。
【００１０】
また請求項３記載の考案によれば、リング本体の断面における円弧変位位置は、外周仮想円弧の８０％〜５０％の位置としており、これによりラインの自然な結束が図られる。
【００１１】
また請求項４記載の考案によれば、リング本体外周部における断面見かけ尖り角度は、５０°〜６０°であり、ラインの結束が自然な状態でなされる角度に合致している。
【図面の簡単な説明】
【００１２】
【図１】本考案の釣用ソリッドリングの使用状態示す説明図と、結束状態を示す拡大断面図である。
【図２】本考案の釣用ソリッドリングとラインとの結束状態を示す拡大断面図である。
【図３】本考案の釣用ソリッドリングとスプリットリングとの嵌め合わせ状態を示す説明図である。
【図４】本考案の他の実施例を示す断面図である。
【図５】本考案の更に他の実施例を示す平面図、並びに断面図である。
【図６】従来の釣用リングの結束状態を示す断面図である。
【考案を実施するための形態】
【００１３】
本考案を実施するための形態は、以下述べる実施例をその一つとするものであると共に、この技術思想に基づく種々の改良した実施例も含むものである。
【実施例１】
【００１４】
以下、本考案を図示の実施例に基づいて具体的に説明する。まず釣用ソリッドリング１の使用形態について述べると、ライン２を結束すると共に、例えばスプリットリングを介してルアー４や、フック５や各種の仕掛け等を接続するために用いられる。
釣用ソリッドリング１について更に説明すると、釣用ソリッドリング１の構成部材であるリング本体１０の断面形状においては、本考案は特徴を有する。
符号１１は、内周面であって、断面円弧状を形成しており、それに続く外周面１２の僅かな範囲も円弧状のまま連続している。そして、外周面１２の途中からフラット面１３を有し、先端部１４を幾分か円弧状とした、滑らかな円弧状に構成されている。この結果、全体としてみると釣用ソリッドリング１のリング本体１０の断面形状は、外向きにティアドロップ形状として構成される。
内周面１１から続く、円弧面であるフラット面１３に至る円弧変位点Ｐについては、外周仮想円弧１５の全周囲について、ほぼ６０％程度の範囲に構成される。即ち図２に示すように内周面側の角度を全範囲をβ０として表した場合、円弧変位点Ｐがなす角は、β１で示されるものであり、このβ０：β１の比が６０％という意味である。
【００１５】
このよう構成の結果、断面形状における縦横比、即ち縦寸法Ｈは、実質的に円径状部の径寸法であり、また横寸法Ａはティアドロップ形状に伸びた寸法を言う。この縦横比Ｒは、Ｈ：Ａ＝１：１．３から１：１．７のものとする。
またフラット面１３が形成する見かけ尖り角αは、概ね５０〜６０°程度とする。
なお符号Ｄ０は、釣用ソリッドリング１のリング内径であり、Ｄ１はリング外径である。実際の釣用ソリッドリング１としては、リング内径Ｄ０は、３ｍｍから８ｍｍ程度であり、このリング内径Ｄ０に応じ、リング外径Ｄ1 は６ｍｍから１２ｍｍ程度の寸法のものが多い。もちろんそれ以外の寸法であっても差し支えない。
【００１６】
このような形状の釣用ソリッドリング１を用いてライン２を結束する場合は、釣用ソリッドリング１は、ライン２の引っ張り時の実際の形状にほぼ馴染んだような断面形状を有しているから、ライン２の緩みが殆ど生じず、強固な結束状態が得られる。実際の結束強度（結び目がほどけた際の強度）については、試験結果として表１に示すように従来比（Ａ／Ｂ）で約４０％程度増すことが確認されている。
【００１７】
【表１】
0003192994.tif 000003
【００１８】
また釣用ソリッドリング１は、スプリットリング３に対して組み付けられることもしばしばあるが、この際前記先端部１４がティアドロップ形状に尖っていることから、その差込作業が行い易い。
【００１９】
〔他の実施の形態〕
本考案は以上述べた実施の形態を一つの基本的な技術思想とするものであるが、更に次のような改変が考えられる。
まず釣用ソリッドリング１のリング本体１０の断面形状は、水滴状であるものの、その先端部を縦方向中心に位置させずに、図４に示すように一方に傾いたような形態とすることもできる。
更に、釣用ソリッドリング１全体として見ても、図５に示すように平面視で円形であるもの（同図（ａ））が最も多いが、ライン２をはじめとするルアー４、フック５等の保持に方向性を持たせたい場合には、同図（ｂ）に示すように平面視で円形ではなく水滴状に変更させることも可能である。もちろんこのような形状のほか、楕円形状（同図（ｃ））に適宜後加工して構成することも差し支えない。
【符号の説明】
【００２０】
Ｓ    空隙
Ｄ０  リング内径
Ｄ１  リング外径
Ｐ    円弧変位点
α    見かけ尖り角
Ｈ    縦寸法（円部径）
Ａ    横寸法
Ｒ    縦横比（Ｈ：Ａ）
１    釣用ソリッドリング
１０  リング本体
１１  内周面
１２  外周面
１３  フラット面
１４  先端部
１５  外周仮想円弧
２    ライン
２１  ノッティング
３    スプリットリング
４    ルアー
５    フック
【図１】
0003192994.tif 000004
【図２】
0003192994.tif 000005
【図３】
0003192994.tif 000006
【図４】
0003192994.tif 000007
【図５】
0003192994.tif 000008
【図６】
0003192994.tif 000009